(57)【要約】【課題】フレキシブルフラットケーブルの曲げ部を形成する際の作業性が良く、フレキシブルフラットケーブルの曲げ部を簡単に筐体に固定することができ、また、構成の単純化やコンパクト化や軽量化を図ることができるフラットケーブル固定具を提供すること。【解決手段】フレキシブルフラットケーブル５の幅寸法Ｗ１よりも大きな内法寸法を有する枠本体３１と、この枠本体３１上のフレキシブルフラットケーブル５の進入方向に対して所定の傾斜角で枠本体３１に橋渡しされたケーブル曲げアーム３２と、枠本体３１の裏面に突設されて筐体４に固定される脚部３３と、が一体形成され、ケーブル曲げアーム３２の縁に沿う折り曲げ線Ｍ１で折り返すことで所定の角度の曲げ部５１を形成したフレキシブルフラットケーブル５を、枠本体３１の裏面によって筐体４に押さえて固定する。【選択図】図２
2016213125.tif 000002
【特許請求の範囲】
【請求項１】
フレキシブルフラットケーブルの幅寸法よりも大きな内法寸法を有する枠本体と、当該枠本体への前記フレキシブルフラットケーブルの進入方向に対して所定の傾斜角で前記枠本体に橋渡しされたケーブル曲げアームと、前記フレキシブルフラットケーブルの幅寸法よりも大きな離間間隔で前記枠本体の裏面に突設されて前記フレキシブルフラットケーブルを配索する筐体に固定可能な複数の脚部と、が一体形成され、
前記ケーブル曲げアームに引っ掛けて前記ケーブル曲げアームの縁に沿う折り曲げ線で折り返すことで所定の角度の曲げ部を形成した前記フレキシブルフラットケーブルを、前記枠本体の裏面によって前記筐体に押さえて、前記筐体に固定することを特徴とするフラットケーブル固定具。
【請求項２】
前記枠本体は、一辺の内法寸法が前記フレキシブルフラットケーブルの幅寸法よりも大きく設定された正方形に形成され、
前記ケーブル曲げアームは、前記正方形の対角線上に橋渡しされ、
前記脚部は前記枠本体の４隅に突設され、
ていることを特徴とする請求項１に記載のフラットケーブル固定具。
【請求項３】
前記脚部は、前記筐体に固定する筐体固定面と前記枠本体の裏面との間の離間距離が、前記枠本体が前記筐体に押さえ込む前記フレキシブルフラットケーブルの厚み寸法に略等しくなるように、前記枠本体からの突出長が設定されていることを特徴とする請求項１又は２に記載のフラットケーブル固定具。
【請求項４】
前記ケーブル曲げアームは、一端が前記枠本体のアーム支持部に揺動可能に結合され、他端が前記枠本体上の前記アーム支持部に対して対角位置に位置したアーム端係止部に係脱可能に係合されることを特徴とする請求項１〜３の何れか一項に記載のフラットケーブル固定具。
【発明の詳細な説明】
【技術分野】
【０００１】
本発明は、フレキシブルフラットケーブルの曲げ部を筐体に固定するフラットケーブル固定具に関する。
【背景技術】
【０００２】
下記特許文献１〜３には、車両の筐体に配索されるフレキシブルフラットケーブルの折り曲げ部を形成して前記筐体に固定するフラットケーブル固定具が開示されている。
【０００３】
特許文献１に記載のフラットケーブル固定具１００は、図７に示すように、フレキシブルフラットケーブル１１０の折り曲げ線１１１に添わせる真直な棒部材１２０と、該棒部材１２０が嵌合する溝部１３１を有したケーブル押さえ部材１３０と、で構成される。
【０００４】
棒部材１２０は、フレキシブルフラットケーブル１１０上の折り曲げ線１１１の上に載置して、折り曲げ線１１１の先方のフレキシブルフラットケーブル１１０を棒部材１２０の上に折り重ねることで、曲げ部を形成する。そして、フレキシブルフラットケーブル１１０を巻き掛けた棒部材１２０を、図７に矢印Ｘ１で示すように、ケーブル押さえ部材１３０の溝部１３１に挿入すると、溝部１３１の側壁によってフレキシブルフラットケーブル１１０が棒部材１２０に密着固定されて、フレキシブルフラットケーブル１１０が棒部材１２０から剥がれることが防止される。
【０００５】
このフラットケーブル固定具１００は、棒部材１２０又はケーブル押さえ部材１３０を不図示の筐体に固定することで、フラットケーブル固定具１００の曲げ部が筐体に固定された状態を得ることができる。
【０００６】
特許文献２に記載のフラットケーブル固定具は、フレキシブルフラットケーブルを挟持する一対の板状部材と、この一対の板状部材を開閉可能に結合する部材結合手段と、一方の板状部材に装備されてフレキシブルフラットケーブルを配索する筐体への固定を果たす固定部と、を備えた構成である。また、フレキシブルフラットケーブルを挟持する一対の板状部材には、挟持したフレキシブルフラットケーブルを折り曲げる傾斜した斜辺部（折り曲げ辺）が装備されていて、前記斜辺部を折り曲げ線としてフレキシブルフラットケーブルを折り返すことでフレキシブルフラットケーブルの曲げ部を形成する。
【０００７】
特許文献３に記載のフラットケーブル固定具は、フレキシブルフラットケーブルを折り返す斜辺部（折り曲げ基準辺）を有した略直角三角形状の折り曲げ用板部と、この折り曲げ用板部の直交する２辺に延出して装備されたケーブル保持部と、を備える。また、前記ケーブル保持部は、ケーブルを載置する第１の板状部材と、この第１の板状部材にケーブルを押さえ付ける第２の板状部材と、を具備した構成で、第１及び第２の一対の板状部材による挟持によって、フレキシブルフラットケーブルを固定する。
【先行技術文献】
【特許文献】
【０００８】
【特許文献１】特開２０００−２７６９５６号公報
【特許文献２】特開平１０−９２２３８号公報
【特許文献３】特開２００７−１０９４９７号公報
【発明の概要】
【発明が解決しようとする課題】
【０００９】
ところが、特許文献１に記載のフラットケーブル固定具は、棒部材１２０とケーブル押さえ部材１３０とが別体で、フレキシブルフラットケーブル１１０の曲げ部を形成する際に、別体の部品である棒部材１２０とケーブル押さえ部材１３０との組み立て作業が必要となる。しかも、棒部材１２０とケーブル押さえ部材１３０とを組み立てる作業中には、フレキシブルフラットケーブル１１０と棒部材１２０とを手指でしっかりと固定しておかないと、作業中に棒部材１２０が移動して、折り曲げ部が崩れてしまうおそれがあり、曲げ部を形成する際の作業性が悪いという問題があった。
【００１０】
また、特許文献２や特許文献３のフラットケーブル固定具は、フレキシブルフラットケーブルを一対の中実構造の板状部材で挟持するため、フラットケーブル固定具が重量化するという問題があった。更に、特許文献２や特許文献３のフラットケーブル固定具は、一対の板状部材を開閉可能に結合する部材結合手段が必要で、フラットケーブル固定具の構造が複雑化するという問題もあった。
【００１１】
更に、特許文献３に記載のフラットケーブル固定具は、フレキシブルフラットケーブルを挟持する一対のケーブル保持部が、フレキシブルフラットケーブルを折り曲げる略直角三角形状の折り曲げ用板部の両辺から延出するため、フラットケーブル固定具が大型化し、大きな配索スペースが確保できない場所では、利用が難しいという問題もあった。
【００１２】
そこで、本発明の目的は、上記課題を解消することに係り、フレキシブルフラットケーブルの曲げ部を形成する際の作業性が良く、フレキシブルフラットケーブルの曲げ部を簡単に筐体に固定することができ、また、構成の単純化やコンパクト化や軽量化を図ることができ、大きな配索スペースが確保できない場所で利用することができるフラットケーブル固定具を提供することにある。
【課題を解決するための手段】
【００１３】
本発明の前述した目的は、下記の構成により達成される。
（１）  フレキシブルフラットケーブルの幅寸法よりも大きな内法寸法を有する枠本体と、当該枠本体への前記フレキシブルフラットケーブルの進入方向に対して所定の傾斜角で前記枠本体に橋渡しされたケーブル曲げアームと、前記フレキシブルフラットケーブルの幅寸法よりも大きな離間間隔で前記枠本体の裏面に突設されて前記フレキシブルフラットケーブルを配索する筐体に固定可能な複数の脚部と、が一体形成され、
前記ケーブル曲げアームに引っ掛けて前記ケーブル曲げアームの縁に沿う折り曲げ線で折り返すことで所定の角度の曲げ部を形成した前記フレキシブルフラットケーブルを、前記枠本体の裏面によって前記筐体に押さえて、前記筐体に固定することを特徴とするフラットケーブル固定具。
【００１４】
（２）  前記枠本体は、一辺の内法寸法が前記フレキシブルフラットケーブルの幅寸法よりも大きく設定された正方形に形成され、
前記ケーブル曲げアームは、前記正方形の対角線上に橋渡しされ、
前記脚部は前記枠本体の４隅に突設され、
ていることを特徴とする上記（１）に記載のフラットケーブル固定具。
【００１５】
（３）  前記脚部は、前記筐体に固定する筐体固定面と前記枠本体の裏面との間の離間距離が、前記枠本体が前記筐体に押さえ込む前記フレキシブルフラットケーブルの厚み寸法に略等しくなるように、前記枠本体からの突出長が設定されていることを特徴とする上記（１）又は（２）に記載のフラットケーブル固定具。
【００１６】
（４）  前記ケーブル曲げアームは、一端が前記枠本体のアーム支持部に揺動可能に結合され、他端が前記枠本体上の前記アーム支持部に対して対角位置に位置したアーム端係止部に係脱可能に係合されることを特徴とする上記（１）〜（３）の何れかに記載のフラットケーブル固定具。
【００１７】
上記（１）の構成によれば、例えば、枠本体の一側の裏面の隣接する一対の脚部間から当該枠本体内に挿通したフレキシブルフラットケーブルをケーブル曲げアームの表面側から裏面側に回すことで、フレキシブルフラットケーブルがケーブル曲げアームに引っかかり、ケーブル曲げアームの縁に沿う折り曲げ線で折り返したフレキシブルフラットケーブルの曲げ部を簡単に作業性良く形成することができる。
【００１８】
また、上記（１）の構成のフラットケーブル固定具は、一体形成した単一部品のため、フレキシブルフラットケーブルの曲げ部を形成するする作業中に、部品相互の組み立て作業が必要とならず、曲げ部を形成する際の作業性も優れる。そして、曲げ部の先方のフレキシブルフラットケーブルは、枠本体の裏面の他の一対の脚部間から外部に引き出した状態で、各脚部をフレキシブルフラットケーブルの配索先の筐体に固定することで、フレキシブルフラットケーブルの曲げ部の両側が、枠本体の裏面によって筐体に押し付けられて、曲げ部が筐体に固定された状態になる。
【００１９】
即ち、上記（１）の構成によれば、フレキシブルフラットケーブルの曲げ部を形成する際の作業性が良く、フレキシブルフラットケーブルの曲げ部を簡単に筐体に固定することができる。
【００２０】
また、上記（１）の構成によれば、枠本体とケーブル曲げアームとが囲む領域は、空隙部であるため、例えば、中実の一対の板状部材でフレキシブルフラットケーブルを挟持する構造を有するフラットケーブル固定具と比較すると、軽量化することができる。
【００２１】
また、上記（１）の構成によれば、可動部や部品同士の係合部が無いため、構成を単純化することができる。更に、上記（１）の構成によれば、枠本体は、例えば、一辺の内法寸法がフレキシブルフラットケーブルの幅寸法よりも僅かに大きい正方形状に仕上げることができ、コンパクト化することができる。
【００２２】
即ち、上記（１）の構成によれば、構成の単純化やコンパクト化や軽量化を図ることができ、大きな配索スペースが確保できない場所で利用することができる。
【００２３】
上記（２）の構成によれば、一辺の内法寸法がフレキシブルフラットケーブルの幅寸法よりも僅かに大きく設定された正方形の枠本体と、この枠本体の対角線上に橋渡しされたケーブル曲げアームと、固定するフレキシブルフラットケーブルの板厚寸法を突出長として枠本体の４隅に突設された４本の脚部とから構成され、構成の単純化やコンパクト化や軽量化を実現することができる。
【００２４】
また、ケーブル曲げアームが正方形の対角線上に橋渡しされた構造であるため、該ケーブル曲げアームの縁で折り返されたフレキシブルフラットケーブルの曲げ部は、フレキシブルフラットケーブルの方向を直角に方向転換する曲げ部となり、フレキシブルフラットケーブルの直角の曲げ部を筐体に固定することができる。
【００２５】
上記（３）の構成によれば、脚部の突出長を、一枚のフレキシブルフラットケーブルの板厚寸法の整数倍に設定しておけば、脚部を筐体に固定した際に、枠本体が前記整数倍に相当する数量のフレキシブルフラットケーブルを筐体に押圧固定することができる。換言すると、脚部の突出長を設計変更することで、任意数のフレキシブルフラットケーブルの固定に使用することができ、固定するフレキシブルフラットケーブルの数量の変更に対して容易に対応することができる。
【００２６】
上記（４）の構成によれば、例えば、フラットケーブル固定具は、枠本体の裏面が上方を向くように作業台に載置し、ケーブル曲げアームを開いた状態で、枠本体の上にフレキシブルフラットケーブルを載置した後、ケーブル曲げアームを閉じると、フレキシブルフラットケーブルを枠本体とケーブル曲げアームとの間に空隙に挿通させる手間をかけずに、枠本体の一側の裏面側から枠本体内に進入したフレキシブルフラットケーブルがケーブル曲げアームの上面側を通って枠本体の裏面側に抜けた状態を形成することができ、フレキシブルフラットケーブルの曲げ部を形成する作業を更に容易にすることができる。
【発明の効果】
【００２７】
本発明によるフラットケーブル固定具によれば、フレキシブルフラットケーブルの曲げ部を形成する際の作業性が良く、フレキシブルフラットケーブルの曲げ部を簡単に筐体に固定することができ、また、構成の単純化やコンパクト化や軽量化を図ることができ、大きな配索スペースが確保できない場所で利用することができる。
【００２８】
以上、本発明について簡潔に説明した。さらに、以下に説明される発明を実施するための形態（以下、「実施形態」という。）を添付の図面を参照して通読することにより、本発明の詳細は更に明確化されるであろう。
【図面の簡単な説明】
【００２９】
【図１】図１は本発明に係るフラットケーブル固定具の第１実施形態の斜視図である。
【図２】図２は図１に示したフラットケーブル固定具が、フレキシブルフラットケーブルの曲げ部を筐体に固定する状態の斜視図である。
【図３】図３は本発明の第１実施形態のフラットケーブル固定具によってフレキシブルフラットケーブルの曲げ部を形成する工程の説明図で、図３（ａ）はフラットケーブル固定具をその裏面側を上にして載置した状態でケーブル曲げアームの下をくぐらせて枠本体の一側から他側にフレキシブルフラットケーブルを挿通させた状態の説明図、図３（ｂ）はケーブル曲げアームの縁に沿う折り曲げ線の先方のフレキシブルフラットケーブルを折り返して曲げ部を形成する途中の状態の説明図、図３（ｃ）はフラットケーブル固定具の天地を正常な向きに戻して、フレキシブルフラットケーブルの曲げ部の形成が完了した状態の説明図である。
【図４】図４は本発明に係るフラットケーブル固定具の第２実施形態の裏面側から視た斜視図である。
【図５】図５は図４に示したフラットケーブル固定具が、フレキシブルフラットケーブルの曲げ部を筐体に固定する状態の斜視図である。
【図６】図６は本発明の第２実施形態のフラットケーブル固定具によってフレキシブルフラットケーブルの曲げ部を形成する工程の説明図で、図６（ａ）はフラットケーブル固定具をその裏面側を上にして載置すると共にケーブル曲げアームを開いた状態で枠本体上にフレキシブルフラットケーブルを載置した状態の説明図、図６（ｂ）は図６（ａ）の状態からケーブル曲げアームを閉じた状態に戻すことでフレキシブルフラットケーブルがケーブル曲げアームの下をくぐった形態を形成した状態の説明図、図６（ｃ）はケーブル曲げアームの縁に沿う折り曲げ線の先方のフレキシブルフラットケーブルを折り返して曲げ部を形成する途中の状態の説明図である。
【図７】従来のフラットケーブル固定具によってフレキシブルフラットケーブルの曲げ部を形成する途中の状態を示す斜視図である。
【発明を実施するための形態】
【００３０】
以下、本発明に係るフラットケーブル固定具の好適な実施形態について、図面を参照して詳細に説明する。
【００３１】
［第１実施形態］
図１〜図３は本発明に係るフラットケーブル固定具の第１実施形態を示したもので、図１は本発明に係るフラットケーブル固定具の第１実施形態の斜視図、図２は図１に示したフラットケーブル固定具が、フレキシブルフラットケーブルの曲げ部を筐体に固定する状態の斜視図、図３は本発明の第１実施形態のフラットケーブル固定具によってフレキシブルフラットケーブルの曲げ部を形成する工程の説明図で、図３（ａ）はフラットケーブル固定具をその裏面側を上にして載置した状態でケーブル曲げアームの下をくぐらせて枠本体の一側から他側にフレキシブルフラットケーブルを挿通させた状態の説明図、図３（ｂ）はケーブル曲げアームの縁に沿う折り曲げ線の先方のフレキシブルフラットケーブルを折り返して曲げ部を形成する途中の状態の説明図、図３（ｃ）はフラットケーブル固定具の天地を正常な向きに戻して、フレキシブルフラットケーブルの曲げ部の形成が完了した状態の説明図である。
【００３２】
この第１実施形態のフラットケーブル固定具３は、合成樹脂材料による一体成形品で、図２に示すように、自動車のインストルメントパネルや各種カバーなどの筐体４に配索されるフレキシブルフラットケーブル５の曲げ部５１を、筐体４に固定する。
【００３３】
このフラットケーブル固定具３は、図１及び図２に示すように、枠本体３１と、この枠本体３１に橋渡しされたケーブル曲げアーム３２と、枠本体３１の裏面に突設された複数の脚部３３と、を備えている。
【００３４】
枠本体３１は、フレキシブルフラットケーブル５の幅寸法Ｗ１よりも大きな内法寸法を有する枠構造である。本実施形態の場合、枠本体３１は略正方形の枠構造である。本実施形態の枠本体３１は、ケーブル曲げアーム３２によって枠本体３１内に区画される直角三角形状の隙間Ｓ１の直交する辺の内法寸法Ｌ１が、フレキシブルフラットケーブル５の幅寸法Ｗ１よりも大きくなるように、各辺３１ａの長さが設定されている。
【００３５】
ケーブル曲げアーム３２は、枠本体３１へのフレキシブルフラットケーブル５の進入方向（図１及び図２では、矢印Ｘ２方向）に対して所定の傾斜角θ（図１参照）で、枠本体３１に橋渡しされている。
【００３６】
本実施形態の場合、枠本体３１が正方形であるため、ケーブル曲げアーム３２は枠本体３１の対角線上に橋渡しされており、ケーブル曲げアーム３２の傾斜角θは４５゜になっている。
【００３７】
複数の脚部３３は、図３（ａ）に示すように、枠本体３１の４隅に突設されている。また、隣接する脚部３３間の離間間隔Ｌ３，Ｌ４は、いずれも、フレキシブルフラットケーブル５が挿通可能なように、フレキシブルフラットケーブル５の幅寸法Ｗ１よりも大きな値に設定されている。本実施形態の場合、枠本体３１が正方形のため、離間間隔Ｌ３と離間間隔Ｌ４は等しい値になっている。
【００３８】
本実施形態の脚部３３は、図３（ａ）にも示すように、下端面が筐体４への固定を果たす筐体固定面３３ａになっている。脚部３３の筐体固定面（下端面）３３ａは、接着剤による接着、または溶着によって、筐体４への固定を果たす。
【００３９】
本実施形態の場合、フラットケーブル固定具３は、図２に示すように、２枚のフレキシブルフラットケーブル５を重ねた状態で、筐体４に固定する。各フレキシブルフラットケーブル５は、厚さがｔ１であり、２枚のフレキシブルフラットケーブル５が積層した状態では、図２に示したように、厚みが２ｔ１になる。
【００４０】
本実施形態の場合、各脚部３３は、図２に示すように、筐体固定面３３ａと枠本体３１の裏面との間の離間距離ｈ１が、枠本体３１が筐体４に押さえ込む２枚のフレキシブルフラットケーブル５，５Ａの厚み寸法２ｔ１に略等しくなるように、枠本体３１からの突出長が設定されている。
【００４１】
以上に説明したフラットケーブル固定具３は、図３（ａ）〜（ｃ）に示す手順で、上層のフレキシブルフラットケーブル５の曲げ部５１を形成する。
【００４２】
まず、図３（ａ）に示すように、フラットケーブル固定具３はその下面を上にして載置しておいて、フレキシブルフラットケーブル５がケーブル曲げアーム３２の下をくぐるように、枠本体３１の裏面にフレキシブルフラットケーブル５を配置する。
【００４３】
次いで、図３（ｂ）に矢印Ｒ１で示すように、ケーブル曲げアーム３２の手前側に位置するフレキシブルフラットケーブル５を、ケーブル曲げアーム３２の縁に沿う折り曲げ線Ｍ１で折り返えすことで、フレキシブルフラットケーブル５をケーブル曲げアーム３２に引っかけ、折り曲げ線Ｍ１で折り曲げた曲げ部５１を形成する。なお、図３（ｂ）に矢印Ｒ１で示すように、折り曲げ線Ｍ１で折り返したフレキシブルフラットケーブル５は、曲げた方向に位置する辺３１ａの裏面に重ねる。
【００４４】
次いで、フラットケーブル固定具３の上面が上を向くように、フレキシブルフラットケーブル５とフラットケーブル固定具３とをひっくり返すと、図３（ｃ）に示すように、ケーブル曲げアーム３２での折り返しによって直角の曲げ部５１を形成したフレキシブルフラットケーブル５が、枠本体３１の裏面によって筐体４に押さえ込まれる形態が得られる。
【００４５】
図３（ｃ）の状態から、フレキシブルフラットケーブル５の下側に別のフレキシブルフラットケーブル５Ａを挿入すると、図２に示したように、２枚のフレキシブルフラットケーブル５，５Ａがフラットケーブル固定具３の枠本体３１によって筐体４に押さえ付けられる状態が得られ、脚部３３の筐体固定面３３ａを筐体４に固着させることで、２枚のフレキシブルフラットケーブル５，５Ａとその曲げ部５１とが筐体４に固定される。
【００４６】
以上に説明した第１実施形態のフラットケーブル固定具３では、枠本体３１の一側の裏面の隣接する一対の脚部３３間からから当該枠本体３１内に挿通したフレキシブルフラットケーブル５をケーブル曲げアーム３２の表面側から裏面側に回すことで、フレキシブルフラットケーブル５がケーブル曲げアーム３２に引っ掛かり、ケーブル曲げアーム３２の縁に沿う折り曲げ線Ｍ１で折り返したフレキシブルフラットケーブル５の曲げ部５１を簡単に作業性良く形成することができる。また、第１実施形態のフラットケーブル固定具３は、一体形成した単一部品のため、フレキシブルフラットケーブル５の曲げ部５１を形成するする作業中に、部品相互の組み立て作業が必要とならず、曲げ部５１を形成する際の作業性も優れる。そして、曲げ部５１の先方のフレキシブルフラットケーブル５は、枠本体３１の裏面の他の一対の脚部３３間から外部に引き出した状態で、各脚部３３をフレキシブルフラットケーブル５の配索先の筐体４に固定することで、フレキシブルフラットケーブル５の曲げ部５１の両側が、枠本体３１の裏面によって筐体４に押し付けられて、曲げ部５１が筐体４に固定された状態になる。
【００４７】
即ち、第１実施形態のフラットケーブル固定具３によれば、フレキシブルフラットケーブル５の曲げ部５１を形成する際の作業性が良く、フレキシブルフラットケーブル５の曲げ部５１を簡単に筐体４に固定することができる。
【００４８】
また、第１実施形態のフラットケーブル固定具３によれば、枠本体３１とケーブル曲げアーム３２とが囲む領域は、空隙部であるため、例えば、中実の一対の板状部材でフレキシブルフラットケーブルを挟持する構造を有する従来のフラットケーブル固定具と比較すると、軽量化することができる。また、第１実施形態のフラットケーブル固定具３は、可動部や部品同士の係合部が無いため、構成を単純化することができる。更に、第１実施形態のフラットケーブル固定具３の枠本体３１は、一辺の内法寸法がフレキシブルフラットケーブル５の幅寸法Ｗ１よりも僅かに大きい正方形状に仕上げることができ、コンパクト化することができる。
【００４９】
即ち、第１実施形態のフラットケーブル固定具３によれば、構成の単純化やコンパクト化や軽量化を図ることができ、大きな配索スペースが確保できない場所で利用することができる。
【００５０】
また、第１実施形態のフラットケーブル固定具３は、一辺の内法寸法がフレキシブルフラットケーブル５の幅寸法Ｗ１よりも僅かに大きく設定された正方形の枠本体３１と、この枠本体３１の対角線上に橋渡しされたケーブル曲げアーム３２と、固定するフレキシブルフラットケーブル５の板厚寸法を突出長として枠本体３１の４隅に突設された４本の脚部３３とから構成され、構成の単純化やコンパクト化や軽量化を実現することができる。
【００５１】
また、ケーブル曲げアーム３２が正方形の対角線上に橋渡しされた構造であるため、該ケーブル曲げアーム３２の縁で折り返されたフレキシブルフラットケーブル５の曲げ部５１は、フレキシブルフラットケーブル５の方向を直角に方向転換する曲げ部５１となり、フレキシブルフラットケーブル５の直角の曲げ部５１を筐体４に固定することができる。
【００５２】
また、第１実施形態のフラットケーブル固定具３では、脚部３３の突出長を、一枚のフレキシブルフラットケーブル５の板厚寸法の整数倍に設定しておけば、脚部３３を筐体４に固定した際に、枠本体３１が前記整数倍に相当する数量のフレキシブルフラットケーブル５を筐体４に押圧固定することができる。換言すると、脚部３３の突出長を設計変更することで、任意数のフレキシブルフラットケーブル５の固定に使用することができ、固定するフレキシブルフラットケーブル５の数量の変更に対して容易に対応することができる。
【００５３】
［第２実施形態］
図４〜図６は本発明に係るフラットケーブル固定具の第２実施形態を示したもので、図４は本発明に係るフラットケーブル固定具の第２実施形態の裏面側から視た斜視図、図５は図４に示したフラットケーブル固定具が、フレキシブルフラットケーブルの曲げ部を筐体に固定する状態の斜視図、図６は本発明の第２実施形態のフラットケーブル固定具によってフレキシブルフラットケーブルの曲げ部を形成する工程の説明図で、図６（ａ）はフラットケーブル固定具をその裏面側を上にして載置すると共にケーブル曲げアームを開いた状態で枠本体上にフレキシブルフラットケーブルを載置した状態の説明図、図６（ｂ）は図６（ａ）の状態からケーブル曲げアームを閉じた状態に戻すことでフレキシブルフラットケーブルがケーブル曲げアームの下をくぐった形態を形成した状態の説明図、図６（ｃ）はケーブル曲げアームの縁に沿う折り曲げ線の先方のフレキシブルフラットケーブルを折り返して曲げ部を形成する途中の状態の説明図である。
【００５４】
この第２実施形態のフラットケーブル固定具３Ａは、第１実施形態のフラットケーブル固定具３の一部を改良したものである。
【００５５】
改良した点は、図４に示すように、第１実施形態のケーブル曲げアーム３２の代わりに改良したケーブル曲げアーム３２Ａが装備された点と、このケーブル曲げアーム３２Ａの他端を結合するために枠本体３１にアーム端係止部３１ｄが装備された点である。
【００５６】
第２実施形態のフラットケーブル固定具３Ａにおいて、ケーブル曲げアーム３２Ａとアーム端係止部３１ｄ以外の構成は、第１実施形態のフラットケーブル固定具３と共通であり、第１実施形態と共通の構成については、同符号を付して説明を省略又は簡略化する。
【００５７】
第２実施形態のフラットケーブル固定具３Ａにおけるケーブル曲げアーム３２Ａは、図４に示すように、枠本体３１の対角線上に橋渡しする点では第１実施形態の場合と同様である。但し、ケーブル曲げアーム３２Ａは、一端３２１が枠本体３１の隅のアーム支持部３１ｃに揺動可能に結合されている。また、ケーブル曲げアーム３２Ａの他端３２２には、枠本体３１上のアーム端係止部３１ｄに係脱可能に係合される鍵部３２３が装備されている。
【００５８】
枠本体３１上のアーム端係止部３１ｄは、枠本体３１上でアーム支持部３１ｃに対して対角位置に装備されている。このアーム端係止部３１ｄは、鍵部３２３が係脱可能な係止孔である。
【００５９】
ケーブル曲げアーム３２Ａは、図５に示すように、他端の鍵部３２３を枠本体３１のアーム端係止部３１ｄに係合させた状態では、第１実施形態のフラットケーブル固定具３と同様に、枠本体３１の対角線上に橋渡しされた状態になる。
【００６０】
この第２実施形態のフラットケーブル固定具３Ａの場合は、図６（ａ）〜（ｃ）の手順で、フレキシブルフラットケーブル５の曲げ部５１を形成する。
【００６１】
まず、図６（ａ）に示すように、フラットケーブル固定具３Ａを裏返しして、枠本体３１の裏面側を上方に向けた状態にし、更に、ケーブル曲げアーム３２Ａは、アーム端係止部３１ｄとの係合を解除して、開いた状態にしておく。その状態で、枠本体３１の裏面にフレキシブルフラットケーブル５を載置する。
【００６２】
次いで、図６（ｂ）に示すように、ケーブル曲げアーム３２Ａの他端３２２側の鍵部３２３をアーム端係止部３１ｄに係合させて、ケーブル曲げアーム３２Ａを閉じた状態にする。すると、フレキシブルフラットケーブル５が枠本体３１の対角線上に橋渡しされているケーブル曲げアーム３２Ａの下をくぐった状態になる。
【００６３】
次いで、図６（ｃ）に示すように、ケーブル曲げアーム３２Ａの手前側に位置しているフレキシブルフラットケーブル５をケーブル曲げアーム３２Ａの縁に沿う折り曲げ線Ｍ１で折り返して、折り返したフレキシブルフラットケーブル５を曲げた方向に位置する辺３１ａの裏面に重ねる。
【００６４】
次いで、フラットケーブル固定具３Ａの上面が上を向くように、フレキシブルフラットケーブル５とフラットケーブル固定具３Ａとをひっくり返すと、ケーブル曲げアーム３２Ａでの折り返しによって直角の曲げ部５１を形成したフレキシブルフラットケーブル５が、枠本体３１の裏面によって筐体４に押さえ込まれる形態が得られる。
【００６５】
以上に説明した第２実施形態のフラットケーブル固定具３Ａでも、前述した第１実施形態と同様の作用・効果を奏することができる。
【００６６】
また、第２実施形態のフラットケーブル固定具３Ａでは、更に、次の作用・効果を得ることができる。
【００６７】
即ち、第２実施形態のフラットケーブル固定具３Ａでは、図６（ａ）に示したように、枠本体３１の裏面が上方を向くように作業台に載置し、ケーブル曲げアーム３２を開いた状態で、枠本体３１の上にフレキシブルフラットケーブル５を載置した後、図６（ｂ）に示したように、ケーブル曲げアーム３２を閉じると、フレキシブルフラットケーブル５を枠本体３１とケーブル曲げアーム３２との間に空隙に挿通させる手間をかけずに、枠本体３１の一側の裏面側から枠本体３１内に進入したフレキシブルフラットケーブル５がケーブル曲げアーム３２の上面側を通って枠本体３１の裏面側に抜けた状態を形成することができ、フレキシブルフラットケーブル５の曲げ部５１を形成する作業を更に容易にすることができる。
【００６８】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６９】
例えば、フラットケーブル固定具の枠本体の形状は、正方形に限るものではなく、長方形や、円形とすることも可能である。また、ケーブル曲げアームの傾斜角も、前述した４５゜の傾斜に限らない。フレキシブルフラットケーブルの曲げ部に要求される曲げ角度に相応して、ケーブル曲げアームの傾斜角を設定すると良い。
【００７０】
また、本発明のフラットケーブル固定具は、脚部の突出長を変更することで、３枚以上のフレキシブルフラットケーブルの固定に使用することも可能である。
【００７１】
また、本発明のフラットケーブル固定具における脚部の筐体への固定方法や、前述した接着や溶着に限らない。脚部にねじ止め用の孔を装備しておいて、ねじ止めによって固定する構成にしたり、筐体側に形成した取付穴へ着脱可能に係合するファスナを脚部に一体形成する構成にしたりしても良い。
【００７２】
ここで、上述した本発明に係るフラットケーブル固定具の実施形態の特徴をそれぞれ以下［１］〜［４］に簡潔に纏めて列記する。
【００７３】
［１］  フレキシブルフラットケーブル（５）の幅寸法（Ｗ１）よりも大きな内法寸法を有する枠本体（３１）と、当該枠本体（３１）への前記フレキシブルフラットケーブル（５）の進入方向に対して所定の傾斜角で前記枠本体（３１）に橋渡しされたケーブル曲げアーム（３２）と、前記フレキシブルフラットケーブル（５）の幅寸法（Ｗ１）よりも大きな離間間隔で前記枠本体（３１）の裏面に突設されて前記フレキシブルフラットケーブル（５）を配索する筐体（４）に固定可能な複数の脚部（３３）と、が一体形成され、
前記ケーブル曲げアーム（３２）に引っ掛けて前記ケーブル曲げアーム（３２）の縁に沿う折り曲げ線（Ｍ１）で折り返すことで所定の角度の曲げ部（５１）を形成した前記フレキシブルフラットケーブル（５）を、前記枠本体（３１）の裏面によって前記筐体（４）に押さえて、前記筐体（４）に固定することを特徴とするフラットケーブル固定具（３）。
【００７４】
［２］  前記枠本体（３１）は、一辺の内法寸法が前記フレキシブルフラットケーブル（５）の幅寸法（Ｗ１）よりも大きく設定された正方形に形成され、
前記ケーブル曲げアーム（３２）は、前記正方形の対角線上に橋渡しされ、
前記脚部（３３）は前記枠本体（３１）の４隅に突設され、
ていることを特徴とする上記［１］に記載のフラットケーブル固定具（３）。
【００７５】
［３］  前記脚部（３３）は、前記筐体（４）に固定する筐体固定面（３３ａ）と前記枠本体（３１）の裏面との間の離間距離（ｈ１）が、前記枠本体（３１）が前記筐体（４）に押さえ込む前記フレキシブルフラットケーブル（５）の厚み寸法に略等しくなるように、前記枠本体（３１）からの突出長が設定されていることを特徴とする上記［１］又は［２］に記載のフラットケーブル固定具（３）。
【００７６】
［４］  前記ケーブル曲げアーム（３２）は、一端（３２１）が前記枠本体（３１）のアーム支持部（３１ｃ）に揺動可能に結合され、他端（３２２）が前記枠本体（３１）上の前記アーム支持部（３１ｃ）に対して対角位置に位置したアーム端係止部（３１ｄ）に係脱可能に係合されることを特徴とする上記［１］〜［３］の何れかに記載のフラットケーブル固定具（３Ａ）。
【符号の説明】
【００７７】
３  フラットケーブル固定具
４  筐体
５  フレキシブルフラットケーブル
３１  枠本体
３１ｃ  アーム支持部
３１ｄ  アーム端係止部
３２  ケーブル曲げアーム
３３  脚部
３３ａ  筐体固定面
５１  曲げ部
３２１  一端
３２２  他端
ｈ１  離間距離
Ｍ１  折り曲げ線
Ｗ１  幅寸法
【図１】
2016213125.tif 000003
【図２】
2016213125.tif 000004
【図３】
2016213125.tif 000005
【図４】
2016213125.tif 000006
【図５】
2016213125.tif 000007
【図６】
2016213125.tif 000008
【図７】
2016213125.tif 000009